(57)【要約】【課題】点火棒型ライターの点火ボタンを指で押し込むことが困難な身体弱者であっても、容易に点火させることが可能なライター点火補助具を提供する。【解決手段】点火ボタン99が内部に配設される指挿入窓部93を有する点火棒型ライター９の点火操作を補助するためのライター点火補助具であって、点火棒型ライター９の把持部95に抱き込み状に取着するケース部材１と、指挿入窓部93の近傍でケース部材１に揺動自在に枢支された横断面コの字状のレバー部材２と、レバー部材２に抜き差し自在に設けられ指挿入窓部93を貫通するボタン押圧部材３と、を備え、ケース部材１とレバー部材２を片手にて握って引き寄せる外力Ｆａが倍力された押圧力を点火ボタン99へ作用するように構成した。【選択図】図１
2015010719.tif 000002
【特許請求の範囲】
【請求項１】
点火ボタン（99）が内部に配設される指挿入窓部（93）を有する点火棒型ライター（９）の点火操作を補助するためのライター点火補助具であって、
上記点火棒型ライター（９）の把持部（95）に抱き込み状に取着するケース部材（１）と、上記指挿入窓部（93）の近傍で上記ケース部材（１）に揺動自在に枢支された横断面コの字状のレバー部材（２）と、該レバー部材（２）に抜き差し自在に設けられ上記指挿入窓部（93）を貫通するボタン押圧部材（３）と、を備え、
上記ケース部材（１）と上記レバー部材（２）を片手にて握って引き寄せる外力（Ｆａ）が倍力された押圧力（Ｆｂ）を上記点火ボタン（99）へ作用するように構成したことを特徴とするライター点火補助具。
【請求項２】
上記ボタン押圧部材（３）は、一対の棒状脚部（31）（32）を連結した全体略Ｕ字型であって、
上記一対の棒状脚部（31）（32）を開脚・閉脚弾性変形可能に構成し、上記一対の棒状脚部（31）（32）の差込先端部（31ａ）（32ａ）の一方又は両方に、抜け止め用の係止部（33）を設けた請求項１記載のライター点火補助具。
【発明の詳細な説明】
【技術分野】
【０００１】
本発明は、ライター点火補助具に関する。
【背景技術】
【０００２】
蝋燭や焚き火等の火付けに用いる点火棒型ライター（例えば、特許文献１参照）は、子供がイタズラ等で容易に点火しないように構成したもの、いわゆる、チャイルドレジスタンス規制（特許文献２参照）に対応させたものがある。
このチャイルドレジスタンス機構（機能）付きの点火棒型ライターは、点火ボタンを、弾発付勢部材によって、子供が指で簡単に押し込めないように固く（重く）して、容易に点火できないようにしたものがある。
【先行技術文献】
【特許文献】
【０００３】
【特許文献１】特開２００４−９３１２０号公報
【特許文献２】特開２０１１−２４７４７０号公報
【発明の概要】
【発明が解決しようとする課題】
【０００４】
しかし、指で押し込む力の弱い高齢者等の身体弱者は、蝋燭や線香等へ着火を行なう際に、点火棒型ライターを容易に点火できないといった問題があった。
そこで、本発明は、点火棒型ライターの点火ボタンを指で押し込むことが困難な身体弱者であっても、容易に点火させることが可能なライター点火補助具の提供を目的とする。
【課題を解決するための手段】
【０００５】
上記目的を達成するために、本発明のライター点火補助具は、点火ボタンが内部に配設される指挿入窓部を有する点火棒型ライターの点火操作を補助するためのライター点火補助具であって、上記点火棒型ライターの把持部に抱き込み状に取着するケース部材と、上記指挿入窓部の近傍で上記ケース部材に揺動自在に枢支された横断面コの字状のレバー部材と、該レバー部材に抜き差し自在に設けられ上記指挿入窓部を貫通するボタン押圧部材と、を備え、上記ケース部材と上記レバー部材を片手にて握って引き寄せる外力が倍力された押圧力を上記点火ボタンへ作用するように構成したものである。
また、上記ボタン押圧部材は、一対の棒状脚部を連結した全体略Ｕ字型であって、上記一対の棒状脚部を開脚・閉脚弾性変形可能に構成し、上記一対の棒状脚部の差込先端部の一方又は両方に、抜け止め用の係止部を設けたものである。
【発明の効果】
【０００６】
本発明によれば、点火棒型ライターの点火ボタンを指で直接的に押す力よりも小さな力にて点火できる。特に、高齢者等の身体弱者の弱い力であっても容易かつ確実に点火ボタンを押し込むことができる。点火棒型ライターに対して、ケース部材を容易に着脱できる。
【図面の簡単な説明】
【０００７】
【図１】本発明の実施の一形態の側面図である。
【図２】点火状態の側面図である。
【図３】切換途中状態の側面図である。
【図４】ロック状態の側面図である。
【図５】点火準備状態の平面図である。
【図６】ボタン押圧部材の一例を示す平面図である。
【図７】要部拡大側面図である。
【図８】他の実施形態の点火準備状態及び点火状態を示す側面図である。
【図９】他の実施形態の切換途中状態及びロック状態を示す側面図である。
【発明を実施するための形態】
【０００８】
以下、図示の実施形態に基づき本発明を詳説する。
本発明に係るライター点火補助具は、図１に示すように、点火口90を先端に有する棒状延長部（延長ノズル部）91と、棒状延長部91の基端側に直列状に配設される把持部95と、棒状延長部91と把持部95の間に配設され内部に点火（押し）ボタン99が設けられた指挿入窓部93が開口しているライター操作部（ライター中間部）92と、を有する点火棒型ライター（ノズル付ライターや単に点火棒と呼ばれる場合もある）９の点火操作を補助するものである。
【０００９】
図１及び図５に示すように、把持部95に抱き込み状（外嵌状）に取着する樹脂製のケース部材１と、指挿入窓部93の近傍でケース部材１の先端部１ａに内嵌状に枢支され点火棒型ライター９を跨ぐように配設された横断面コの字状の樹脂製のレバー部材２と、レバー部材２のレバー側壁部22，22に差し込まれ指挿入窓部93を貫通する樹脂製のボタン押圧部材３と、を備えている。なお、図５は、点火棒型ライター９を図示省略している。
【００１０】
ケース部材１は、点火棒型ライター９の把持部95に外嵌状に取着するライター取着部11と、ライター取着部11の先端側から延伸状に設けられ指挿入窓部93の近傍（ライター操作部92の幅方向一方面92ａ側）を支持するように横断面コの字状に形成されたレバー枢支部12と、を有している。つまり、レバー枢支部12は、ケース部材１の先端部１ａに設けられている。
【００１１】
レバー枢支部12は、レバー部材２の両レバー側壁部22，22から夫々側外方へ突出した枢支用凸部23，23が差し込まれる枢支用凹部14，14が長孔状（縦長状）に貫設された一対の枢支側壁部13，13を有している。
【００１２】
レバー部材２は、側面視Ｌ字状に形成された一対のレバー側壁部22，22と、一対のレバー側壁部22，22を連結すると共にレバー操作力（外力Ｆａ）を受ける操作力受け壁部21と、を有する横断面コの字に形成している。そして、ライター操作部92の幅方向他方面92ｂ側から点火棒型ライター９を跨ぐように配設され、ライター操作部92の幅方向一方面92ａ側でケース部材１に枢支されている。
また、レバー側壁部22，22は、指挿入窓部93に対応して貫設されボタン押圧部材３が抜き差し自在に差し込まれる長孔状の差込孔25，25を有している。
ボタン押圧部材３は、レバー部材２の差込孔25，25を挿通して橋架状に配設される。
【００１３】
図５及び図６に示すように、ボタン押圧部材３は、一対の棒状脚部31，32を連結した全体略Ｕ字型であって、一対の棒状脚部31，32を開脚・閉脚弾性変形可能に構成している。自由状態では、棒状脚部31，32が相互に平行状に配設される開脚状態であり、一対の棒状脚部31，32の差込先端部31ａ，32ａを相互に接近させるような力（閉脚方向の外力）がかかると、弾性変形して棒状脚部31，32の差込先端部31ａ，32ａが相互に接近乃至当接した閉脚状態となる。閉脚方向の外力が解除されると、弾性的復元力によって開脚状態に戻るように構成している。また、ボタン押圧部材３は、開脚・閉脚弾性変形可能に、一対の棒状脚部31，32の基端を連結する基端連結部35と、基端寄りを連結する中間連結部36と、を有している。  
【００１４】
また、ボタン押圧部材３は、一方のレバー側壁部22Ａの差込孔25Ａに所定寸法差し込んだ際に、一方の差込孔25Ａの開口縁部（一方のレバー側壁部22Ａ）に当接して差込量を規制する（差し込み過ぎにより差込孔25を通り抜けるのを防止する）ストッパー部37を差込基端側に有している。
ストッパー部37は、一対の棒状（丸棒状）脚部31，32夫々からラジアル外方へ突出する短円柱状の小凸部37Ａ，37Ｂである。
【００１５】
さらに、ボタン押圧部材３は、一対の棒状脚部31，32内、一方の棒状脚部31の差込先端部31ａに、抜け止め用の係止部33を突設している。
係止部33は、他方のレバー側壁部22Ｂの差込孔25Ｂを貫通した後に、ボタン押圧部材３に引抜き力が作用した場合に、他方の差込孔25Ｂの開口縁部（他方のレバー側壁部22Ｂ）に係止可能な爪状（カエリ状やフック状）に設けている。
爪状の係止部33は、差込先端側に誘導勾配面33ａを有し、差込基端側に棒状脚部31の外面（外周面）から（ラジアル外方へ）突出した係止当り面（部）33ｂを有している。
【００１６】
また、図１乃至図５に示すように、一方のレバー側壁部22Ａは、差し込みの際に、係止部33の差込抵抗を緩和するための、又は、係止部33が一方のレバー側壁部22Ａに当接しないようにする逃がし切欠部26を一方の差込孔25Ａに連設している。
【００１７】
ボタン押圧部材３を、一方のレバー側壁部22Ａの差込孔25Ａから差込む際に、係止部33は、逃がし切欠部26を挿通することで、スムーズに差し込まれるように構成している。
そして、他方のレバー側壁部22Ｂの差込孔25Ｂを挿通する際に、誘導勾配面33ａが、他方の差込孔25Ｂの開口縁部に摺接して、差込力を、一対の棒状脚部31，32を閉脚弾性変形させる力に変換して、係止部33が開口縁部を乗り越えて他方の差込孔25Ｂを貫通するように構成している。
また、係止部33が他方の差込孔25Ｂを貫通した後は、一対の棒状脚部31，32が弾性的復元力によって開脚し、他方の差込孔25Ｂを貫通した後に引抜き力が作用した場合に、係止当り面33ｂが他方の差込孔25Ｂの開口縁部（他方のレバー側壁部22Ｂ）に当接して、抜け止め作用を発揮するように構成している。
【００１８】
さらに、差込後のボタン押圧部材３を、指等で摘むようにして差込先端部31ａ，32ａ同士を接近させるような（閉脚方向の外力）を付与することで、閉脚弾性変形させ、係止部33を他方のレバー側壁部22Ｂに当接させずに（抜け止め作用を解除して）、レバー部材２から引抜き可能としている。
【００１９】
次に、図７に示すように、枢支用凹部14は、先端縁部14ａと、基端縁部14ｂと、を有し、先端縁部14ａが幅方向外方へ向いた傾斜縦長状に貫設している。
そして、先端縁部14ａと基端縁部14ｂの間に膨出部14ｃを設け、先端縁部14ａと基端縁部14ｂの間に、先端縁部14ａ及び基端縁部14ｂよりも孔幅寸法Ｓが小さい孔幅狭部14ｇを形成している。
ここで、枢支用凸部23は、側面視で、円形を切り欠いて、直径寸法ｄよりも短い寸法の弦23ａを形成したＤ字状に設けている。弦23ａを形成する切欠平面を基準面とした切欠残部最大厚み寸法ｅは、直径寸法ｄよりも小さい。
そして、孔幅狭部14ｇの孔幅寸法Ｓを、枢支用凸部23の直径寸法ｄよりも小さく、かつ、切欠残部最大厚み寸法ｅよりも大きく形成している。
【００２０】
このように、孔幅狭部14ｇと枢支用凸部23を設けることで、基端縁部14ｂ側に配設された枢支用凸部23が膨出部14ｃに摺接して、レバー部材２が揺動軸心（枢支用凸部23の軸心）Ｌａ廻りに揺動可能にすると共に、揺動中に枢支用凸部23が、基端縁部14ｂ側から先端縁部14ａ側へ移動するのを規制（阻止）するように設けている。
【００２１】
図１は、枢支用凸部23が枢支用凹部14の基端縁部14ｂ側に配設され、レバー部材２に差し込まれたボタン押圧部材３が点火ボタン99に当接し、レバー部材２の操作力受け壁部21と点火棒型ライター９の間が所定の点火準備開き角度θａをもって開いている点火準備状態（レバー開状態）である。なお、点火ボタン99はチャイルドロック機構によりレバー部材２及びボタン押圧部材３の自重では押し込まれない。
【００２２】
図１の点火準備状態で、ケース部材１とレバー部材２を、身体弱者等の使用者が片手で握って、握力によってケース部材１とレバー部材２を相互に接近するように引き寄せる閉操作を行うと、レバー部材２の操作力受け壁部21が力点Ｐと成り、枢支用凸部23が膨出部14ｃによって移動が阻止された摺接部（枢支部位）が支点Ｙとなり、ボタン押圧部材３と点火ボタン99と接触する部位が作用点Ｑと成るように構成している。
【００２３】
つまり、側面視で、枢支用凸部23を枢支する部位（支点Ｙ）から、ボタン押圧部材３と点火ボタン99と接触部（作用点Ｑ）までの距離よりも、枢支用凸部23を枢支する部位（支点Ｙ）から、レバー部材２の操作力受け壁部21の中央点（力点Ｐ）までの距離を長く設けて、テコの原理により、片手にて握って引き寄せる外力Ｆａが倍力された押圧力Ｆｂを、点火ボタン99へ作用するように構成している。なお、使用者の手（片手）は図示省略している。
【００２４】
片手にて握って引き寄せる外力Ｆａによって、図２に示すように、レバー部材２の操作力受け壁部21と点火棒型ライター９の間が所定の点火準備開き角度θａよりも小さい所定の点火開き角度θｂになるようにレバー部材２を揺動させると、押圧部材３が揺動軸心Ｌａ廻りに円弧状軌跡運動（公転）して点火ボタン99を所定寸法押込んで、点火状態となる。
【００２５】
従来、点火棒型ライター９を把持しつつ人差し指等で点火ボタン99を押圧するのは、高齢者等の身体弱者は、力が弱く非常に困難であった。特に、蝋燭等への着火の際に、点火ボタン99を押したまま保持することは困難であった。そこで、指の筋力による押圧力よりも強い力が発揮される握力を利用し、さらに、テコの原理を利用することで、点火ボタン99を容易に押して点火が行なえるようにしている。また、指で点火ボタン99を押圧しつつ把持する場合に比べて、握った状態を保持するだけで良いので、楽で疲れにくく、蝋燭等への着火作業が容易に行なえるようにしている。また、点火棒型ライター９を把持しつつ人差し指等で点火ボタン99を押圧する場合は、指の押圧力の方向と把持する力の方向が異なるため持ちにくく滑りやすい（位置ズレしやすい）が、本発明は、把持しやすく、点火中に滑る虞を軽減できる。
【００２６】
また、図２に示す点火状態（レバー閉状態）から、消火する場合は、ケース部材１とレバー部材２の把持（握力）を弱めれば、点火ボタン99の戻りの弾発付勢力によって、ボタン押圧部材３が押し戻されて、レバー部材２が開くように揺動し、点火準備状態（非点火状態）に戻る。レバー部材２の開閉操作で点火と消火が行なえる。つまり、点火ボタン99用の戻し用弾発部材を利用し、ケース部材１とレバー部材２の間に、レバー戻し用弾発部材を設けず、部品点数を少なくし、小型かつ軽量に構成している。
【００２７】
また、図１の点火準備状態から、点火準備開き角度θａよりも大きな開き角度となるように、（ボタン押圧部材３が点火ボタン99から長手一方側Ｎａへ離間するように）レバー部材２を開操作した場合に、図３に示すように、枢支用凸部23が、孔幅狭部14ｇを通過可能な姿勢となる。つまり、枢支用凸部23を枢支用凹部14の先端縁部14ａ側に移設可能となる。
そして、図４に示すように、枢支用凸部23を枢支用凹部14の先端縁部14ａ側に配設した状態で、レバー部材２が点火棒型ライター９或いはケース部材１に当接する揺動限界まで（レバー部材２の操作力受け壁部21と点火棒型ライター９の間が、所定の点火開き角度θｂよりも小さい角度となるように）閉操作しても、ボタン押圧部材３が、点火ボタン99を押し込まないように（当接しないように）、指挿入窓部93内で逃がすように構成している。
【００２８】
つまり、レバー部材２の揺動軸心Ｌａを先端側（長手一方側Ｎａ）へ移設することで、ボタン押圧部材３の移動（揺動）範囲を長手一方側Ｎａへ逃がして、ボタン押圧部材３の移動範囲内に点火ボタン99が含まれないように構成している。
【００２９】
即ち、枢支用凸部23を、枢支用凹部14の基端縁部14ｂ側と先端縁部14ａ側とに位置換え（移設）することで、レバー部材２を、点火準備姿勢から点火ボタン99を操作可能な点火揺動可能状態と、点火ボタン99を押さずに揺動可能な安全揺動可能状態と、に切換自在としている。
【００３０】
また、図４に示すように、レバー部材２の操作力受け壁部21と点火棒型ライター９の間が、所定の点火開き角度θｂよりも小さい開き角度θｃとなった持ち運び状態（携帯用収納状態）で、不用意にレバー部材２が開揺動しないようにするロック手段７を具備している。ロック手段７は、レバー部材２のレバー側壁部22，22に貫設した長孔状の係合雌部72と、ケース部材１のケース側壁部11ｅ，11ｅから側方に突設され持ち運び状態で係合雌部72に係合する半球凸状頭部を有する係合雄部71と、から成る。係合雄部71が係合雌部72に嵌まり込むことで開揺動を阻止する。また、使用者が意図的にレバー部材２を開くように引いた場合は、係合が解除されるように設けている。つまり、カバンやポケット等に安全に収納できると共に子供等がイタズラ等で点火するのを防止できる。
【００３１】
また、図１に示すように、ケース部材１のライター取着部11は、把持部95の基端面95ｄを支持する基端壁部11ｄと、把持部95の幅方向一方面95ａを支持する幅方向一方壁部11ａと、把持部95の側面95ｅ，95ｅを支持するケース側壁部11ｅ，11ｅと、ケース側壁部11ｅ，11ｅを幅方向他方側で連結して把持部95に抱き込み状に取着するための連結壁部11ｆと、を備えている。
ケース部材１の基端壁部11ｄで、ボタン押圧部材３が点火ボタン99を押し込む力を受けて、点火棒型ライター９がケース部材１から脱落するのを防止している。
また、連結壁部11ｆによって、ケース部材１とレバー部材２の間から点火棒型ライター９が抜けるのを防止している。
つまり、ライター取着部11は、把持部95の幅方向一方面95ａ側を支持する横断面コの字状のケース部18と、把持部95の幅方向他方面95ｂ側を支持する横断面コの字状の抱き込み部19と、基端壁部11ｄと、を有している。
【００３２】
また、ボタン押圧部材３の抜き差しによって点火棒型ライター９に対してケース部材１を着脱可能に構成している。非点火状態で、ボタン押圧部材３を、レバー部材２から引き抜いた後に、ケース部材１を長手他方側へスライドさせることで、点火棒型ライター９とケース部材１を分離可能としている。
また、空状態のケース部材１に、長手一方側Ｎａから点火棒型ライター９の把持部95を挿入し、その後、レバー部材２にボタン押圧部材３を差し込むことで、点火棒型ライター９がケース部材１の長手一方側Ｎａへ抜けるのを防止された取付完了状態となる。
【００３３】
次に他の実施形態について説明する。
図８及び図９に示すように、上述した点火棒型ライター９と外観形状の異なる点火棒型ライター９に対応させたものである。上述の実施形態と異なる点は、ケース部材１の枢支用凹部14が、側面視で軸心Ｌ９と平行状の直線縦長型（状）に形成した点である。他の構成は上述の実施形態と同様である。
【００３４】
なお、本発明は、設計変更可能であって、図示省略するが、一対の棒状脚部31，32の差込先端部31ａ，32ａの両方に係止部33を設けても良い。また、係止部33の形状は自由であって、外鍔状や膨出頭状、あるいは、差込孔25の開口縁部が差し込まれる切欠凹部又は凹周溝状等の凹部型に設けても良い。また、ロック手段７は、ケース部材１に係合雌部72を設け、レバー部材２に係合雄部71を設けても良い。
【００３５】
また、点火棒型ライター９は、棒状延長部91とライター操作部（点火操作部）92と把持部95が軸心Ｌ９に沿って、直列状に配設された全体棒形状であって、点火ボタン99が基端側（長手他方側）へ押し込まれることで点火するように構成されている。そして、点火ボタン99を弾発付勢部材等によって、子供等が指で簡単に押し込んで点火できないように固く（重く）したものである。つまり、子供等が興味本意やイタズラ等で触っても、容易に点火しないように構成された、チャイルドレジスタンス機構（ＣＲ機構）を有するものである。また、指挿入窓部93は、軸心Ｌ９を有する平面（図１乃至図４と図８及び図９の紙面）に直交する方向（厚み方向）に開口している。また、棒状延長部91の軸心Ｌ９は、点火棒型ライター９全体の長手方向軸心とも言える。
【００３６】
また、本発明を容易に説明するために、棒状延長部91の軸心Ｌ９に沿った方向を長手方向（縦方向）Ｎと呼んでいる。そして、点火棒型ライター９とケース部材１とレバー部材２に於て、棒状延長部91の点火口90から炎が噴出する側を、先端側又は長手一方側Ｎａと呼び、指挿入窓部93の開口方向を側方（厚み方向）と呼び、図１乃至図５と図８及び図９に矢印Ｗで示す方向（軸心Ｌ９及び指挿入窓部93の開口軸心と直交する方向）を幅方向と呼んで、方向を説明している。また、ボタン押圧部材３において、レバー部材２へ差し込む際に先頭となる端部を、差込先端部31ａ，32ａと呼んでいる。したがって、方向を基に、使用状態の姿勢を限定するものではない。
【００３７】
以上のように、本発明のライター点火補助具は、点火ボタン99が内部に配設される指挿入窓部93を有する点火棒型ライター９の点火操作を補助するためのライター点火補助具であって、点火棒型ライター９の把持部95に抱き込み状に取着するケース部材１と、指挿入窓部93の近傍でケース部材１に揺動自在に枢支された横断面コの字状のレバー部材２と、レバー部材２に抜き差し自在に設けられ指挿入窓部93を貫通するボタン押圧部材３と、を備え、ケース部材１とレバー部材２を片手にて握って引き寄せる外力Ｆａが倍力された押圧力Ｆｂを点火ボタン99へ作用するように構成したので、ケース部材１と共にレバー部材２を握ることで容易に点火できる。つまり、点火棒型ライター９を把持して人差し指等で点火ボタン99を押すのは、高齢者等の身体弱者は、指の筋力が弱く非常に困難であった。また、線香への着火の際に、点火ボタン99を押したまま保持することは困難であった。そこで、指の筋力による押し力よりも強い力が点火ボタン99に作用して、容易に点火が行なえる。また、指で点火ボタン99を押圧保持する場合に比べて、手を握った状態を保持する方が楽で疲れにくく、蝋燭等への着火作業が容易に行なえるようにしている。また、ケース部材１とボタン押圧部材３で点火棒型ライター９の長手方向Ｎの移動を規制して、ケース部材１から点火棒型ライター９が離脱や落下するのを防止している。
【００３８】
また、ボタン押圧部材３は、一対の棒状脚部31，32を連結した全体略Ｕ字型であって、一対の棒状脚部31，32を開脚・閉脚弾性変形可能に構成し、一対の棒状脚部31，32の差込先端部31ａ，32ａの一方又は両方に、抜け止め用の係止部33を設けたので、レバー部材２からボタン押圧部材３が脱落（離脱）するのを防止できると共に、レバー部材２からボタン押圧部材３を容易かつスムーズに抜き差しできる。
【符号の説明】
【００３９】
１  ケース部材
２  レバー部材
３  ボタン押圧部材
９  点火棒型ライター
31  棒状脚部
31ａ  差込先端部
32  棒状脚部
32ａ  差込先端部
33  係止部
93  指挿入窓部
95  把持部
99  点火ボタン
Ｆａ  外力
Ｆｂ  押圧力
【図１】
2015010719.tif 000003
【図２】
2015010719.tif 000004
【図３】
2015010719.tif 000005
【図４】
2015010719.tif 000006
【図５】
2015010719.tif 000007
【図６】
2015010719.tif 000008
【図７】
2015010719.tif 000009
【図８】
2015010719.tif 000010
【図９】
2015010719.tif 000011